(57)【要約】      （修正有）【課題】取り扱いが容易なペーシェントコールシステムを提供すること。【解決手段】実施の形態のペーシェントコールシステム２０は、無線発信機４０２と受信機５００とを有する。実施の形態のペーシェントコールシステム２０の無線発信機は、磁気共鳴イメージング装置による検査対象となる被検体により操作される操作部４０１を有し、被検体により操作部が操作されると、所定の制御信号を無線にて発信する。また、実施の形態のペーシェントコールシステム２０の受信機は、無線発信機により発信された所定の制御信号を受信すると、受信された所定の制御信号を有線にて送信する。【選択図】図３
2012183238.tif 000002
【特許請求の範囲】
【請求項１】
磁気共鳴イメージング装置による検査対象となる被検体により操作される操作部と、
前記被検体により前記操作部が操作されると、所定の制御信号を無線にて発信する無線発信部とを備える無線発信機と、
前記無線発信機により発信された前記所定の制御信号を受信する受信部と、
前記受信部により受信された前記所定の制御信号を有線にて送信する送信部と
を備える受信機と
を備えたことを特徴とするペーシェントコールシステム。
【請求項２】
前記受信機により前記有線にて送信された前記制御信号を受信すると、前記制御信号により指定される処理を実行する実行部を備える制御装置を更に備えたことを特徴とする請求項１に記載のペーシェントコールシステム。
【請求項３】
前記無線発信機は、前記操作部を複数有し、
前記無線発信部は、前記被検体により操作された前記操作部ごとに異なる前記制御信号を無線にて発信することを特徴とする請求項１〜３のいずれかに記載のペーシェントコールシステム。
【請求項４】
前記無線発信部は、前記操作部に対する被検体の操作態様ごとに、異なる前記制御信号を無線にて発信することを特徴とする請求項１〜３のいずれかに記載のペーシェントコールシステム。
【請求項５】
前記実行部は、前記制御信号により指定される処理として、残りの検査時間を前記磁気共鳴イメージング装置から取得し、取得した残りの検査時間を前記被検体に報知する報知処理、又は、前記磁気共鳴イメージング装置の操作者に警報を発する警報処理を実行することを特徴とする請求項３又は４に記載のペーシェントコールシステム。
【請求項６】
磁気共鳴イメージング装置による検査対象となる被検体により操作される操作部と、
前記被検体により前記操作部が操作されると、所定の制御信号を無線にて発信する無線発信部とを備える無線発信機と、
前記無線発信機により発信された前記所定の制御信号を受信する受信部と、
前記受信部により前記所定の制御信号が受信されると、前記所定の制御信号に応じた処理を実行する実行部とを備える磁気共鳴イメージング装置と
を備えたことを特徴とする磁気共鳴イメージングシステム。
【発明の詳細な説明】
【技術分野】
【０００１】
本発明の実施形態は、ペーシェントコールシステム及び磁気共鳴イメージングシステムに関する。
【背景技術】
【０００２】
磁気共鳴イメージング装置（ＭＲＩ（Magnetic  Resonance  Imaging）装置）がある。磁気共鳴イメージング装置は、静磁場内に置かれた被検体に高周波磁場を印加し、高周波磁場の印加により被検体から発せられた磁気共鳴信号を検出し、検出した磁気共鳴信号に基づいて被検体の画像を生成する。
【０００３】
ここで、磁気共鳴イメージング装置による検査中に用いられる装置として、ペーシェントコールがある。ペーシェントコールは、被検体により押されるボタンを有する操作装置と、チューブと、警報音を鳴らす警報音装置とを有する。操作装置は、被検体により検査中保持される。警報音装置は操作室に配置される。ペーシェントコールのチューブは、寝台の基板に接続されており、この基板が操作室の警報音装置に電気的に接続される。ここで、ペーシェントコールでは、被検体により操作装置のボタン押されることでチューブ内の空気圧が変化すると、警報音装置が警報音を鳴らす。
【０００４】
なお、上述したように、従来のペーシェントコールは、チューブが誤って切断されたりしないように取り扱われる。例えば、操作者は、磁気共鳴イメージング装置の寝台に直接挿入されるストレッチャーと、磁気共鳴イメージング装置の寝台との間に、寝台に直接接続されたチューブが挟まらないように取り扱う。より詳細な一例をあげて説明すると、ストレッチャーを寝台に挿入する際、ペーシェントコールが干渉しない位置にストレッチャーを置いたり寝台を安全な高さまで下げた上で挿入する。
【先行技術文献】
【特許文献】
【０００５】
【特許文献１】特開２００７−１８５２５０号公報
【発明の概要】
【発明が解決しようとする課題】
【０００６】
本発明が解決しようとする課題は、取り扱いが容易なペーシェントコールシステムを提供することである。
【課題を解決するための手段】
【０００７】
実施の形態のペーシェントコールシステムは、無線発信機と受信機とを有する。無線発信機は、操作部と、無線発信部とを備える。操作部は、磁気共鳴イメージング装置による検査対象となる被検体により操作される。無線発信部は、前記被検体により前記操作部が操作されると、所定の制御信号を無線にて発信するまた、受信機は、受信部と、送信部とを備える。受信部は、前記無線発信機により発信された前記所定の制御信号を受信する。送信部は、前記受信部により受信された前記所定の制御信号を有線にて送信する。
【図面の簡単な説明】
【０００８】
【図１】図１は、第１の実施形態に係るＭＲＩ装置の構成を示すブロック図である。
【図２】図２は、第１の実施形態におけるＭＲＩ装置の配置の一例を示す図である。
【図３】図３は、第１の実施形態におけるペーシェントコールシステムの構成の一例を示す図である。
【図４】図４は、第１の実施形態に係るペーシェントコールシステムによる処理の流れの一例を示すシーケンス図である。
【図５】図５は、第２の実施形態に係るペーシェントコールシステムの構成の一例を示す図である。
【発明を実施するための形態】
【０００９】
（第１の実施形態）
図１は、第１の実施形態に係るＭＲＩ装置の構成を示すブロック図である。なお、図１に示す例では、ＭＲＩ装置１０と併せて、被検体Ｐを示した。本体部１００は、計算機システム２００と接続される。
【００１０】
本体部１００の各部について説明する。静磁場磁石１０１は、中空の円筒形状に形成され、内部の空間に一様な静磁場を発生する。静磁場磁石１０１は、例えば、永久磁石、超伝導磁石などである。傾斜磁場コイル１０２は、中空の円筒形状に形成され、内部の空間に傾斜磁場を発生する。具体的には、傾斜磁場コイル１０２は、静磁場磁石１０１の内側に配置され、傾斜磁場電源１０３から電流の供給を受けて傾斜磁場を発生する。傾斜磁場電源１０３は、シーケンス制御部１１０から送られるパルスシーケンス実行データに従って、傾斜磁場コイル１０２に電流を供給する。
【００１１】
寝台１０４は、被検体Ｐが載置される天板１０４ａを備える。寝台１０４は、天板１０４ａを、被検体Ｐが載置された状態で傾斜磁場コイル１０２の空洞（撮像口）内へ挿入する。通常、寝台１０４は、長手方向が静磁場磁石１０１の中心軸と平行になるように設置される。寝台制御部１０５は、寝台１０４を駆動することで、天板１０４ａを長手方向及び上下方向へ移動する。
【００１２】
送信コイル１０６は、高周波磁場を発生する。具体的には、送信コイル１０６は、傾斜磁場コイル１０２の内側に配置され、送信部１０７から高周波パルスの供給を受けて、高周波磁場を発生する。送信部１０７は、シーケンス制御部１１０から送られるパルスシーケンス実行データに従って、ラーモア周波数に対応する高周波パルスを送信コイル１０６に送信する。
【００１３】
受信コイル１０８は、ＭＲ信号を受信する。具体的には、受信コイル１０８は、傾斜磁場コイル１０２の内側に配置され、高周波磁場の影響によって被検体Ｐから放射されるＭＲ信号を受信する。なお、ＭＲ信号を「磁気共鳴信号」とも称する。受信コイル１０８は、受信したＭＲ信号を受信部１０９に出力する。例えば、受信コイル１０８は、頭部用の受信コイル、脊椎用の受信コイル、腹部用の受信コイルなどである。
【００１４】
受信部１０９は、シーケンス制御部１１０から送られるパルスシーケンス実行データに従って、受信コイル１０８から出力されたＭＲ信号に基づきＭＲ信号データを生成する。具体的には、受信部１０９は、受信コイル１０８から出力されたＭＲ信号をデジタル変換することによってＭＲ信号データを生成し、生成したＭＲ信号データをシーケンス制御部１１０を介して計算機システム２００に送信する。
【００１５】
シーケンス制御部１１０は、傾斜磁場電源１０３、送信部１０７、及び受信部１０９を制御する。シーケンス制御部１１０は、計算機システム２００から送信されたパルスシーケンス実行データを、傾斜磁場電源１０３、送信部１０７、及び受信部１０９に送信する。また、シーケンス制御部１１０は、受信部１０９から受信したＭＲ信号データを計算機システム２００に送信する。
【００１６】
計算機システム２００は、本体部１００及びオペレータ端末３００と接続される。計算機システム２００の各部について説明する。インタフェース部２０１は、本体部１００のシーケンス制御部１１０に接続される。インタフェース部２０１は、シーケンス制御部１１０と計算機システム２００との間で送受信されるデータの入出力を制御する。画像再構成部２０２は、シーケンス制御部１１０から送信されたＭＲ信号データから画像データを再構成し、再構成した画像データを記憶部２０３に格納する。
【００１７】
記憶部２０３は、画像再構成部２０２によって格納された画像データや、ＭＲＩ装置１０において用いられるその他のデータを記憶する。例えば、記憶部２０３は、ＲＡＭ（Random  Access  Memory）、ＲＯＭ（Read  Only  Memory）、フラッシュメモリ（flash  Memory）などの半導体メモリ素子、又は、ハードディスク、光ディスクなどである。
【００１８】
入力部２０４は、撮像指示、撮像条件の編集などを操作者から受け付ける。例えば、入力部２０４は、マウスやトラックボールなどのポインティングデバイス、モード切替スイッチ等の選択デバイス、あるいはキーボード等の入力デバイスである。表示部２０５は、画像データ、撮像条件編集画面などを表示する。例えば、表示部２０５は、液晶表示器などの表示デバイスである。
【００１９】
制御部２０６は、上記各部を制御することによってＭＲＩ装置１０を総括的に制御する。例えば、制御部２０６は、ＡＳＩＣ（Application  Specific  Integrated  Circuit）やＦＰＧＡ（Field  Programmable  Gate  Array）などの集積回路、又は、ＣＰＵ（Central  Processing  Unit）やＭＰＵ（Micro  Processing  Unit）などである。
【００２０】
オペレータ端末３００は、計算機システム２００と接続される。オペレータ端末３００の入力部３０１は、撮像指示、撮像条件の編集などを操作者から受け付ける。例えば、入力部３０１は、マウスやトラックボールなどのポインティングデバイス、モード切替スイッチ等の選択デバイス、あるいはキーボード等の入力デバイスである。表示部３０２は、画像データ、撮像条件編集画面などを表示する。
【００２１】
図２は、第１の実施形態におけるＭＲＩ装置の配置の一例を示す図である。図２に示す例では、本体部１００は、電磁フィールド７１１により周囲が覆われた検査室７１０に設置される。計算機システム２００は、機械室７３０に設置される。オペレータ端末３００は、操作室７２０に設置される。ここで、検査室７１０は、被検体ＰがＭＲＩ装置１０による検査を受ける部屋となる。また、機械室７３０は、計算機システム２００が設置される部屋となる。操作室７２０は、操作者によりＭＲＩ装置１０が操作される部屋となる。本体部１００と計算機システム２００とは、フィルタパネル７１２を介して接続される。
【００２２】
図２に示すように、本体部１００が強い磁場を発生することを踏まえ、電磁フィールド７１１により周囲が覆われた検査室７１０に本体部１００が設置された上で、計算機システム２００とオペレータ端末３００とは、検査室７１０とは別の部屋に設けられる。なお、図２に示すＭＲＩ装置１０の配置は一例であり、これに限定されるものではない。例えば、機械室と操作室とが１つの部屋であっても良く、任意の配置であって良い。
【００２３】
ここで、実施例１に係るＭＲＩ装置１０による被検体Ｐの検査中、ペーシェントコールシステムが用いられる。以下では、実施例１におけるペーシェントコールシステムについて説明する。
【００２４】
図３は、第１の実施形態におけるペーシェントコールシステムの構成の一例を示す図である。ペーシェントコールシステム２０は、被検体Ｐが何かを操作者に伝える際に用いられる。例えば、被検体Ｐが検査中に異常を感じた場合に、異常を感じた旨を伝えるシステムとして用いられる。なお、図２に示す例では、説明の便宜上、ペーシェントコールシステム２０の各装置が用いられたり設置されたりする部屋の一例を明示した。
【００２５】
図３に示すように、ペーシェントコールシステム２０のペーシェントコール４００は、検査室７１０にて被検体Ｐにより用いられる。例えば、ペーシェントコール４００は、ＭＲＩ装置１０による検査中、被検体Ｐの手に保持される。なお、ペーシェントコール４００は、「無線発信機」とも称する。
【００２６】
ペーシェントコール４００の各部について説明する。操作部４０１は、ＭＲＩ装置１０による検査対象となる被検体Ｐにより操作される。操作部４０１は、例えば、ボタンやダイヤルなどである。無線発信部４０２は、被検体Ｐにより操作部４０１が操作されると、所定の制御信号を無線にて発信する。例えば、無線発信部４０２は、赤外線通信や近距離無線通信などの無線通信にて制御信号を発信する。なお、近距離無線通信とは、例えば、Bluetooth（登録商標）が該当する。なお、無線発信部４０２は、ＭＲＩ画像にノイズを与えない周波数を用いて、制御信号を発信する。
【００２７】
図３に示すように、ペーシェントコールシステム２０の受信機５００は、ペーシェントコール４００により無線にて発信される制御信号を受信可能な範囲に設置される。具体的には、受信機５００は、検査室７１０に設置される。また、受信機５００は、有線にて制御装置６００と接続される。
【００２８】
受信機５００の各部について説明する。受信部５０１は、ペーシェントコール４００により送信された所定の制御信号を受信する。また、送信部５０２は、受信部５０１により受信された所定の制御信号を有線にて送信する。具体的には、送信部５０２は、所定の制御信号を有線にて制御装置６００に送信する。例えば、送信部５０２は、ＭＲＩ装置１０と同様に、検査室７１０のフィルタパネルを介して、機械室７３０や操作室７２０に設けられた制御装置６００に所定の制御信号を有線にて送信する。すなわち、受信機５００は、ペーシェントコール４００により無線にて発信された所定の制御信号を受信し、有線にて制御装置６００に送信する。
【００２９】
図３に示すように、ペーシェントコールシステム２０の制御装置６００は、操作室７２０や機械室７３０に設置される。制御装置６００の各部について説明する。出力部６０１は、操作者に情報を出力する。出力部６０１は、例えば、スピーカやモニタが該当する。
【００３０】
制御部６１０は、各種の処理手順などを規定したプログラムを記憶する内部メモリを有し、種々の処理を制御する。制御部６１０は、例えば、ＡＳＩＣ、ＦＰＧＡ、ＣＰＵ、ＭＰＵなどである。制御部６１０は、「実行部」とも称する。以下に説明するように、制御部６１０は、受信機５００により有線にて送信された制御信号を受信すると、制御信号により指定される処理を実行する。なお、実施例１では、制御装置６００が、操作者に警報を発する場合を用いて説明するが、これに限定されるものではなく、任意の処理を実行しても良い。
【００３１】
警告処理部６１１は、受信機５００により有線にて送信された制御信号を受信すると、ＭＲＩ装置１０の操作者に警報を発する。例えば、警告処理部６１１は、出力部６０１からブザー音を鳴らすことで、ペーシェントコール４００の操作部４０１が操作されたことを操作者に伝える。また、例えば、警告処理部６１１は、出力部６０１のモニタ上にメッセージを出力することで、ペーシェントコール４００の操作部４０１が操作されたことを操作者に伝える。
【００３２】
なお、図３に示す例では、警告処理部６１１が、制御装置６００の出力部６０１から警報を発する場合を示したが、これに限定されるものではない。例えば、警告処理部６１１は、操作室７２０に設けられたオペレータ端末３００から警報を発せさせたりメッセージを表示させたりしても良い。この場合、例えば、警告処理部６１１は、警報を発する旨の指示をオペレータ端末３００に直接送信し、又は、計算機システム２００を介してオペレータ端末３００に送信することで、オペレータ端末３００から警報を発せさせる。
【００３３】
ここで、制御装置６００と計算機システム２００とオペレータ端末３００との関係について説明する。上述した説明では、制御装置６００と計算機システム２００とオペレータ端末３００とがそれぞれ別装置である場合を用いて説明したが、これに限定されるものではない。例えば、制御装置６００と計算機システム２００とを統合し、１つの装置としても良い。この場合、制御装置６００と計算機システム２００とを統合した装置は、例えば、所定の制御信号を受信すると、オペレータ端末３００の表示部３０２からメッセージを出力したり、操作室７２０や機械室７３０に設けられたスピーカから警報を発したりする。また、同様に、制御装置６００とオペレータ端末３００とを統合し、１つの装置としても良い。この場合、制御装置６００とオペレータ端末３００とを統合した装置は、例えば、受信機５００により送信された所定の制御信号を、受信機５００から直接受信したり、計算機システム２００を介して受信したりする。
【００３４】
図４は、第１の実施形態に係るペーシェントコールシステムによる処理の流れの一例を示すシーケンス図である。図４に示すように、ペーシェントコールシステム２０では、ペーシェントコール４００は、被検体Ｐにより操作部４０１に対する被検体Ｐによる操作があると（ステップＳ１０１ＹＥＳ）、無線発信部４０２が、所定の制御信号を無線にて発信する（ステップＳ１０２）。
【００３５】
その後、受信機５００の送信部５０２は、ペーシェントコール４００により発信された所定の制御信号を受信部５０１が受信すると、受信した制御信号を有線にて制御装置６００に送信する（ステップＳ１０３）。
【００３６】
そして、制御装置６００は、受信機５００により有線にて送信された制御信号を受信すると、制御信号により指定される処理を実行する（ステップＳ１０４）。例えば、制御装置６００の警告処理部６１１は、操作者に警報を発する。
【００３７】
上述したように、実施例１によれば、取り扱いが容易なペーシェントコールシステム２０を提供可能である。例えば、ペーシェントコールシステム２０が無線信号を無線にて発する結果、ペーシェントコールシステム２０と他の装置とをつなぐチューブを用いることなく実現可能であり、チューブが誤って切断されたりしないように気をつけて取り扱う必要がなく取り扱いが簡単なペーシェントコールシステム２０を実現可能である。
【００３８】
すなわち、例えば、チューブで寝台と直接接続されている従来のペーシェントコールでは、患者搬送用ストレッチャーを寝台に挿入する際、ペーシェントコールとチューブが干渉しないように取り扱われることになる。これに対して、実施例１によれば、ペーシェントコールが無線にて制御信号を発信する結果、取り扱いが容易なペーシェントコールシステム２０を提供可能である。
【００３９】
（第２の実施形態）
以下では、第２の実施形態に係るペーシェントコールシステム３０として、ペーシェントコールが、複数種類の制御信号を発信し、制御装置が制御信号ごとに異なる処理を実行する場合について説明する。なお、以下では、第１の実施形態と同様の点については、説明を省略する。以下では、制御装置が、制御信号により指定される処理として、残りの検査時間をＭＲＩ装置１０から取得し、取得した残りの検査時間を被検体Ｐに報知する報知処理、又は、ＭＲＩ装置１０の操作者に警報を発する警報処理を実行する場合を用いて説明するが、これに限定されるものではなく、任意の処理を実行して良い。
【００４０】
図５は、第２の実施形態に係るペーシェントコールシステムの構成の一例を示す図である。図５に示す例では、説明の便宜上、計算機システム８２０を併せて示した。また、説明の便宜上、計算機システム８２０の各部のうち、制御部８２１を示した。なお、制御部８２１は、図１における制御部２０６に対応する。
【００４１】
また、以下では、制御装置８１０と計算機システム８２０とが別装置である場合を用いて説明するが、これに限定されるものではなく、１つの装置であっても良い。図５においては、第１の実施形態に係るペーシェントコールシステム２０と同様の箇所については、図３と同一の符号を付した。
【００４２】
ペーシェントコール８００の操作部８０１は、１つ、又は複数のボタンを有する。無線発信部８０２は、操作部８０１が１つのボタンを有する場合には、操作部８０１に対する被検体Ｐの操作態様ごとに、異なる制御信号を無線にて発信する。例えば、無線発信部８０２は、被検体Ｐにより操作部８０１が連続して操作された時間に応じて異なる制御信号を送信する。より詳細な一例をあげて説明すると、無線発信部８０２は、操作部８０１のボタンが押された長さが１秒以内である場合には第１の制御信号を発信し、１秒を超える場合には第２の制御信号を発信する。また、無線発信部８０２は、所定の時間内に所定の回数以上操作部８０１が操作された場合には、第３の制御信号を発信する。
【００４３】
また、無線発信部８０２は、操作部８０１が複数のボタンを有する場合には、被検体Ｐにより操作されたボタンごとに異なる制御信号を無線にて発信する。例えば、操作部８０１にボタン「Ａ」「Ｂ」が設けられた場合を用いて説明する。この場合、無線発信部８０２は、例えば、ボタン「Ａ」が押された場合には第１の制御信号を発信し、ボタン「Ｂ」が押された場合には第２の制御信号を発信する。なお、無線発信部８０２は、操作部８０１が複数のボタンを有する場合において、操作部８０１に対する被検体Ｐの操作態様ごとに、異なる制御信号を無線にて発信するようにしても良い。
【００４４】
なお、複数あるボタン各々の意味や、操作態様ごとの意味については、例えば、検査前に予め被検体Ｐに伝えられる。この結果、例えば、被検体Ｐごとに意味を変えることも可能である。
【００４５】
その後、制御装置８１０は、制御信号ごとに、異なる処理を実行する。例えば、第１の制御信号や第３の制御信号を受信した場合には、警告処理部６１１は、警告を操作者に発する。また、第２の制御信号を受信した場合には、残り時間取得部８１１は、残りの検査時間をＭＲＩ装置１０から取得する。例えば、残り時間取得部８１１は、計算機システム８２０の制御部８２１から、残り時間を取得する。そして、報知処理部８１２は、残り時間取得部８１１により取得された残りの検査時間を被検体Ｐに報知する。例えば、報知処理部８１２は、残り時間取得部８１１により取得された残りの検査時間を報知する音声データを生成し、生成した音声データを検査室７１０内に設けられたスピーカ７１３から出力する。例えば、報知処理部８１２は、「残りの撮像時間は５分以上です。」「残りの撮像時間は５分以内です。」「残りの撮像時間は３分以内です。」「残り時間は１２分です」などの音声データを生成し、検査室７１０内に設けられたスピーカ７１３から出力する。
【００４６】
ここで、制御装置８１０は、操作者に警報を発する場合に、制御信号ごとに異なる警告音をならすようにしても良い。この結果、操作者は、どのボタンがおされたのかを簡単に把握することが可能である。
【００４７】
上述したように、第２の実施形態によれば、ペーシェントコール４００が無線にて複数の信号を発信することで、被検体Ｐが様々な意図や異なる処理を実行させることが可能である。例えば、被検体Ｐは、自分が聞きたいタイミングにて、操作者に気兼ねすることなく残りの検査時間を知ることが可能である。
【００４８】
また、例えば、チューブ内の空気圧を用いて情報を伝える従来の手法では、送信できる情報は「１ビット」となるのに対して、第２の実施形態によれば、ペーシェントコール４００は、複数の信号を発信可能であり、被検体Ｐの異なる意志をそれぞれ操作者に伝えることが可能である。
【００４９】
また、例えば、今後、ＭＲＩ対応寝台が増えるにつれて、直接寝台にストレッチャーが挿入される機会が増加するので、ペーシェントコールを干渉させない方法が必要になる。また、ＭＲＩ検査が高齢化社会になり大衆化するにつれて被験者数が増加すると考えられる。第２の実施形態によれば、被検体Ｐの異なる意志をそれぞれ操作者に伝えることが可能であり、被験者の不安を取り除くことが可能となる。
【００５０】
（第３の実施形態）
さて、上述した実施形態以外にも、その他の実施形態にて実施されても良い。そこで、以下では、その他の実施形態を示す。
【００５１】
例えば、上述した第２の実施形態では、操作態様ごとに異なる制御信号を送信する場合について説明したが、本発明はこれに限定されるものではない。例えば、ペーシェントコールは、操作部８０１が操作されている間所定の制御信号を送信するようにしても良い。
【００５２】
また、例えば、ペーシェントコールに撮像終了までの時間を報知するブザーを搭載しても良い。この場合、例えば、残り撮像時間が５分前や１０分前にブザーが報知するようにすることで、残り撮像時間を被検体Ｐに自動的に確実に知らせることが可能である。
【００５３】
また、例えば、ペーシェントコールを、検査前に被検体Ｐに渡しておいても良い。例えば、検査室７１０への入室の際に渡すようにしても良い。この結果、寝台１０４に挿入される前の段階においても、被検体Ｐの呼びかけにも応じることが可能となる。
【００５４】
また、本実施形態において説明した各処理のうち、自動的に行われるものとして説明した処理の全部又は一部を手動的に行うこともでき、あるいは、手動的に行われるものとして説明した処理の全部又は一部を公知の方法で自動的に行うこともできる。この他、上述文書中や図面中で示した処理手順、制御手順、具体的名称、各種のデータやパラメータを含む情報については（図１〜図５）、特記する場合を除いて任意に変更することができる。
【００５５】
また、図示した各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況などに応じて、任意の単位で機能的又は物理的に分散・統合して構成することができる。例えば、受信機５００を本体部１００の一部としても良い。また、制御装置６００を計算機システム２００又はオペレータ端末３００の一部としても良い。
【００５６】
また、例えば、受信機５００をＭＲＩ装置１０の本体部１００と統合し、かつ、制御装置６００をＭＲＩ装置１０の計算機システム２００又はオペレータ端末３００と統合しても良い。この場合、ペーシェントコールは、ＭＲＩ装置１０による検査対象となる被検体Ｐにより操作される操作部と、被検体Ｐにより操作部が操作されると、所定の制御信号を無線にて発信する無線発信部とを備える。その上で、被検体Ｐからの磁気共鳴信号を収集し、収集した磁気共鳴信号に基づいて画像を再構成する再構成部を有すると、ＭＲＩ装置１０では、本体部１００は、ペーシェントコールにより発信された所定の制御信号を受信する受信部と、受信部により所定の制御信号が受信されると、所定の制御信号に応じた処理を実行する実行部とを備えることになる。
【００５７】
以上述べた少なくとも一つの実施形態のペーシェントコールシステムによれば、無線発信機が、被検体Ｐにより操作部が操作されると、所定の制御信号を無線にて発信し、受信機が、無線発信機により発信された所定の制御信号を受信すると、有線にて送信するので、取り扱いが容易なペーシェントコールシステムを提供することが可能となる。
【００５８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５９】
１０        ＭＲＩ装置
２０        ペーシェントコールシステム
４００      ペーシェントコール
４０１      操作部
４０２      無線発信部
５００      受信機
５０１      受信部
５０２      送信部
６００      制御装置
６０１      出力部
６１０      制御部
６１１      警告処理部
【図１】
2012183238.tif 000003
【図２】
2012183238.tif 000004
【図３】
2012183238.tif 000005
【図４】
2012183238.tif 000006
【図５】
2012183238.tif 000007